(57)【要約】【課題】  数が限られているユーザ定義キーを有効に利用する。【解決手段】  ユーザ定義キー５ａにセットバイセル機能のパラメータ「−」がアサインされると、ユーザ定義キー５ａを押した際にセットバイセル機能が起動される。これにより、ＬＣＤディスプレイ６に表示されたメニューから操作対象としてパラメータ［TO STEREO］が選択されると、当該ユーザ定義キー５ａを押しながらステレオバス４６へ送りたい入力チャンネルに割り当てられたチャンネルストリップのセル（SEL）キー３１を押すことで、その入力チャンネルの信号がステレオバスへ送られるようになる。そして、ユーザ定義キー５ａを押しながらステレオバスへ送りたい入力チャンネルに割り当てられているチャンネルストリップのセル（SEL）キー３１を順次押していくことで、複数チャンネルにパラメータ［TO STEREO］のオン／オフ設定を迅速に行うことができるようになる。【選択図】  図３
2008042446.tif 000002
【特許請求の範囲】
【請求項１】
複数の入力チャンネルにおける入力信号にミキシング処理を行って出力チャンネルからミキシング信号を出力するミキシング手段を備えるミキシング装置であって、
あらかじめプログラムされた機能を実行するためのユーザ定義キーと、
該ユーザ定義キーに実行する機能をアサインする設定手段と、
操作するチャンネルを選択するチャンネル選択キーと、
各種設定画面を表示可能な表示手段とを備え、
チャンネル毎に設定するオン／オフのパラメータを操作対象として前記チャンネル選択キーで設定することができるセットバイセル機能が前記ユーザ定義キーにアサイン可能とされており、前記セットバイセル機能がアサインされた前記ユーザ定義キーを操作した際に、前記表示手段に操作対象とするパラメータを選択させる選択画面が表示され、該選択画面において選択されたパラメータを操作対象として前記チャンネル選択キーで設定することができるようにしたことを特徴とするミキシング装置。
【発明の詳細な説明】
【技術分野】
【０００１】
この発明は、あらかじめプログラムされた機能を実行するためのユーザ定義キーを備えるミキシング装置に関する。
【背景技術】
【０００２】
従来、多数のマイクロホンあるいは電気・電子楽器などから出力される信号のレベルや周波数バランスを調整し、ミキシングしていくつかのミキシング・グループにまとめてパワーアンプや各種録音機器に送り出したり、エフェクタや演奏しているプレーヤに送り出すミキシング装置が知られている。ミキシング装置を操作するオペレータは、楽器音や歌唱の各オーディオ信号の音量や音色を、ミキシング・コンソールにおける各種パネル操作子を出力信号をモニタしながら操作することにより、演奏を最もふさわしく表現していると思われるパラメータ値に調整している。ミキシング装置は、入力信号系として複数の入力チャンネルと該入力チャンネルから出力される信号をミキシングするＭＩＸバスを少なくとも備え、ミキシングされた信号を出力する出力系である出力チャンネルを備えている。各入力チャンネルではそれぞれ入力する信号の周波数バランスや送り出しレベル等のパラメータを制御して各ＭＩＸバスに出力し、各ＭＩＸバスはそれぞれ入力された信号をミキシングして対応する出力チャンネルに出力している。各出力チャンネルはＭＩＸバスからのミキシング信号の周波数バランスやレベルを制御してスピーカ等に出力するようになる。
【発明の開示】
【発明が解決しようとする課題】
【０００３】
このようなミキシング装置においては、パネル面には必要最小限の操作子を設けるようにしてパネル面を簡素にすることにより筐体を小型にしている。このため、パネル面には制御可能な全パラメータに対応する操作子は設けられていない。そこで、パネル面に操作子が設けられていないパラメータについては、パネル面に設けられている表示部にそのパラメータの設定用の画面を表示してそこでパラメータの設定を行うようにしている。この場合、パラメータの設定は操作するチャンネルを選択した上で行う必要があることから、各チャンネルに同じパラメータの設定を行う場合にも、操作するチャンネルの選択とパラメータの設定の操作をチャンネル数だけ繰り返し行わなければならずパラメータの設定の手順が煩雑となり多くの時間が費やされることになっていた。
【０００４】
そこで、これを解決するためにパネル面に設けられたユーザ定義キー（user defined keys）にセットバイセル（SET BY SEL）機能をアサインすることができるようにされている。ユーザ定義キー（user defined keys）は、シーンの切り替え、トークバックや内蔵オシレーターのオン／オフなどのあらかじめプログラムされた機能を実行するためのキーであり、異なる機能をそれぞれアサインできる複数のユーザ定義キーが設けられている。ユーザ定義キー（user defined keys）に割当可能な機能の一覧表の一部を図１７に示す。図１７に示すように、ユーザ定義キー（user defined keys）には、セットバイセル（SET BY SEL）機能やシーン（SCENE）切替機能等の機能をアサインすることができるようにされている。また、ユーザ定義キー（user defined keys）にアサインされた機能をクリアするために、「NO ASSIGN」の機能が用意されている。そして、アサインされる機能に複数のパラメータがある場合にはその内の１つのパラメータを操作対象として選択するようにしている。
【０００５】
セットバイセル（SET BY SEL）機能は、チャンネル毎に設定するオン／オフのパラメータを迅速に設定するための機能であり、操作対象とされたパラメータのオン／オフの設定を各チャンネルのチャンネルストリップに設けられているセル（SEL）キーを操作することで設定できるようになる。セットバイセル（SET BY SEL）機能において操作対象とされるパラメータは、ヘッドアンプに供給する電源をオン／オフするパラメータ「SET [+48V]」、ヘッドアンプの正相と逆相を切り替えるパラメータ「SET[φ]」、インプット系チャンネルからＭＩＸバスへ送られる信号の送出位置を、ポストフェーダ（POST SEND）とプリフェーダ（PRE SEND）とで切り替えるパラメータ「SET[PRE SEND]」、インプット系チャンネルからステレオバスへ送られる信号をオン／オフするパラメータ「SET[TO STEREO]」、インプット系チャンネルからモノバスへ送られる信号をオン／オフするパラメータ「SET[TO MONO]」の内から選択することができる。
【０００６】
そして、ユーザ定義キーにセットバイセル機能をアサインすると、アサインされたユーザ定義キーを押した際にセットバイセル（SET BY SEL）機能のプログラムが起動されて、操作対象とされたオン／オフのパラメータの設定を各チャンネルのセル（SEL）キーを操作することでチャンネル毎に設定することができるようになる。この場合、セットバイセル（SET BY SEL）機能では操作対象とするパラメータごとに別々のユーザ定義キーへアサインすることになる。しかしながら、操作したいパラメータを操作対象として個々にユーザ定義キーへアサインすると、ユーザ定義キーの数には限りがあることからセットバイセル機能でユーザ定義キーが占有されてしまい、ユーザ定義キーに他の機能をアサインすることができない場合があるという問題点があった。また、ユーザ定義キーを押した際にアサインされた機能が表示されるものの、押す前にどのユーザ定義キーにどのパラメータを操作対象としてアサインしたがかわからないという問題点があった。
【０００７】
そこで、本発明は数が限られているユーザ定義キーを有効に利用することができるミキシング装置を提供することを目的としている。
【課題を解決するための手段】
【０００８】
上記目的を達成するために、本発明のミキシング装置は、チャンネル毎に設定するオン／オフのパラメータを操作対象としてチャンネル選択キーで設定することができるセットバイセル機能がユーザ定義キーにアサイン可能とされており、セットバイセル機能がアサインされたユーザ定義キーを操作した際に、表示手段に操作対象とするパラメータを選択させる選択画面が表示され、該選択画面において選択されたパラメータを操作対象としてチャンネル選択キーで設定できるようにしたことを最も主要な特徴としている。
【発明の効果】
【０００９】
本発明によれば、チャンネル毎に設定するオン／オフのパラメータを操作対象としてチャンネル選択キーで設定することができるセットバイセル機能がユーザ定義キーにアサイン可能とされており、セットバイセル機能がアサインされたユーザ定義キーを操作した際に、表示手段に操作対象とするパラメータを選択させる選択画面が表示され、該選択画面において選択されたパラメータを操作対象としてチャンネル選択キーで設定できるようにしたことから、１つのユーザ定義キーにアサインされたセットバイセル機能であっても操作対象として選択できるパラメータを複数とすることができる。これにより、ユーザ定義キーを有効に利用することができるが、セットバイセル機能の特徴である操作の迅速性（操作性）の向上は、本質的には、従来とかわらないようになる。また、操作対象とするパラメータを選択させる選択画面が表示されることで、セットバイセル機能の操作対象とするパラメータを確認しながら設定できるようになり、誤操作の発生を防止することができるようになる。
【発明を実施するための最良の形態】
【００１０】
本発明のミキシング装置の実施例であるディジタルミキサの構成を示すブロック図を図１に示す。
図１に示す本発明の実施例に係るディジタルミキサ１において、ディジタルミキサ１の全体の動作を制御すると共に、ミキシング用の操作子の操作に応じた制御信号を生成しているＣＰＵ（Central Processing Unit）１０と、ＣＰＵ１０が実行するミキシング制御プログラム等の動作ソフトウェアが格納されている書き換え可能な不揮発性のフラッシュメモリ１１と、ＣＰＵ１０のワークエリアや各種データ等が記憶されるＲＡＭ（Random Access Memory）１２を備えている。このように、フラッシュメモリ１１に動作ソフトウェアを格納することにより、フラッシュメモリ１１内の動作ソフトウェアを書き換えることで、動作ソフトウェアをバージョンアップすることができる。また、ディジタルレコーダ等のその他の機器は、入出力インタフェースであるその他Ｉ／Ｏ  １３を介してディジタルミキサ１に接続される。
【００１１】
表示器１４は、各チャンネルのパラメータを設定する各種設定画面等を表示する液晶表示器からなるＬＣＤディスプレイである。電動フェーダ１５は、入力チャンネルの信号あるいは出力チャンネルの信号のレベルを調整するフェーダであり、手動および電動によりレベル調整することができる。操作子１６は、モニタに関する操作を行う操作子や、表示器１４に表示されるカーソルを移動するカーソル移動キー、設定される値を増減する増減キー、設定される値を選択するロータリエンコーダ、設定した値を確定させるエンターキー等からなるパネルに設けられている操作子である。ディジタルミキサ１の全ての入力と全ての出力は波形Ｉ／Ｏ（波形データインタフェース）１７により行われる。この波形Ｉ／Ｏ１７は、アナログ信号が入力される複数のＡ入力ポートと、アナログ信号が出力される複数のＡ出力ポートと、外部からディジタル信号を入力すると共に外部へディジタル信号を出力する双方向とされている複数のＤ入力／Ｄ出力ポートとを備えている。
【００１２】
また、波形Ｉ／Ｏ１７には、ディジタルミキサ１のオペレータが操作子を操作する際のモニタ信号を出力するモニタ用ポートも備えられている。このモニタ用ポートからのモニタ信号がオペレータルームの操作者用モニタ１８に供給されることにより、オペレータルームのオペレータは出力チャンネルの信号をモニタしながらディジタルミキサ１の操作を行うことができる。さらに、ミキシング状態を変化させずに、ある入力チャンネルあるいは出力チャンネルの信号や出演者に送られる信号を検聴することができる。また、信号処理部１９は多数のＤＳＰ（Digital Signal Processor）を用いて構成されており、ＣＰＵ１０の制御の元でミキシング処理やエフェクト処理などを行っている。この信号処理部１９においてミキシング処理されたミキシング信号をレコーダ２０に供給して記録することができると共に、レコーダ２０から再生したミキシング信号を信号処理部１９へ供給することができる。この場合、レコーダ２０においてはミキシング信号を圧縮して記録し、再生したミキシング信号を伸張して出力することができるようにされている。さらに、ＵＳＢインタフェース（ＵＳＢ  Ｉ／Ｏ）２１を備え、ＵＳＢ  Ｉ／Ｏ２１にはユーザ管理データ等が記憶されているＵＳＢメモリ２４をコネクタ２２を介して装着することができるようにされている。各部はバス２３に接続されている。
【００１３】
次に、本発明にかかる図１に示す構成のディジタルミキサ１においてミキシング処理が行われる等価的な機能ブロック図を図２に示す。
図２において、複数のアナログ入力ポート（Ａ入力）４０に入力されたアナログ信号は、内蔵されているＡＤ変換器によりディジタル信号に変換されて入力パッチ４２に入力される。また、複数のディジタル入力ポート（Ｄ入力）４１に入力されたディジタル信号は、そのまま入力パッチ４２に入力される。入力パッチ４２では、信号の入力元である複数の入力ポートの何れか１つの入力ポートを、例えば３２チャンネルとされる複数の入力チャンネル部４３ａ〜４３ｎの各入力チャンネル毎に選択的にパッチ（結線）することができ、各入力チャンネルには、入力パッチ４２でパッチされた入力ポートからの信号が供給される。
【００１４】
入力チャンネル部４３ａ，４３ｂ，・・・，４３ｎにおける各入力チャンネルには、アッテネータ、イコライザ、コンプレッサ、フェーダ、ＭＩＸバス４５ａ〜４５ｍへの送り出しレベルを調整するセンド調整部が備えられており、これらの入力チャンネルにおいて、周波数バランスやＭＩＸバス４５ａ〜４５ｍへ送出されるレベルが制御される。入力チャンネル部４３ａ〜４３ｎから出力される３２チャンネルのディジタル信号は、それぞれ位相反転器４４ａ，４４ｂ，・・・，４４ｎを介してＭＩＸ１〜ＭＩＸ１６の１６本のＭＩＸバス４５ａ，４５ｂ，・・・，４５ｍの１ないし複数に選択的に出力されると共に、ステレオバス４６およびモノバス４７に選択的に出力される。位相反転器４４ａ〜４４ｎは、信号の位相が反転している場合にオンさせて正常な位相に戻すための手段である。
ＭＩＸバス４５ａ〜４５ｍにおいては、１６本の各バスにおいて、３２入力チャンネルのうちの任意の入力チャンネルから選択的に入力された１ないし複数のディジタル信号がミキシングされて、合計１６チャンネルのミキシング出力がＭＩＸ出力チャンネル部（ＭＩＸｃｈ）４８ａ〜４８ｍに出力される。これにより、１６通りにミキシングされた１６チャンネルのミキシング出力を得ることができる。このＭＩＸバス４５ａ〜４５ｍからの出力を最終出力としてスピーカ等に供給する場合が多くされる。
【００１５】
また、ステレオバス４６には、３２入力チャンネルのうちの任意の入力チャンネルから選択的に入力された１ないし複数のステレオのディジタル信号がミキシングされて、ステレオのミキシング出力がＭＩＸ出力チャンネル部（ＭＩＸｃｈ  ＳＴ）４８ｓに出力される。さらに、モノバス４７には、３２入力チャンネルのうちの任意の入力チャンネルから選択的に入力された１ないし複数のモノラルのディジタル信号がミキシングされて、モノラルのミキシング出力がＭＩＸ出力チャンネル部（ＭＩＸｃｈ  ＭＯＮＯ）４８ｔに出力される。ＭＩＸ出力チャンネル部４８ａ〜４８ｍ，４８ｓ，４８ｔにおける各出力チャンネルには、アッテネータ、イコライザ、コンプレッサ、フェーダが備えられており、これらの出力チャンネルにおいて、周波数バランスおよび出力パッチ４９へ送出されるレベルが制御される。
【００１６】
出力パッチ４９では、信号の入力元であるＭＩＸ出力チャンネル部４８ａ〜４８ｍ，４８ｓ，４８ｔの１６チャンネルのミキシング信号、ステレオのミキシング信号やモノラルのミキシング信号の何れか１つのチャンネルを、アナログ出力ポート部（Ａ出力）５０やディジタル出力ポート部（Ｄ出力）５１の各出力ポート毎に選択的にパッチ（結線）することができ、各出力ポートには、出力パッチ４９でパッチされたチャンネルからの信号が供給される。
また、複数のアナログ出力ポートを備えるアナログ出力ポート部（Ａ出力）５０へ供給されたディジタル出力信号は、内蔵されているＤＡ変換器によりアナログ出力信号に変換されてアナログ出力ポートから出力される。そして、アナログ出力ポート部（Ａ出力）５０から出力されるアナログ出力信号は、増幅されてメインのスピーカから放音される。さらに、このアナログ出力信号は出演者が耳に装着するインイヤーモニタに供給されたり、その出演者の近傍に置かれたステージモニタスピーカで再生される。また、複数のディジタル出力ポートを備えるディジタル出力ポート部（Ｄ出力）５１から出力されるディジタルオーディオ信号は、レコーダ２０や外部接続されたＤＡＴ等に供給されてディジタル録音することができるようにされている。
【００１７】
次に、本発明にかかるディジタルミキサ１における操作子１６等が設けられているコンソールパネル２の概略構成を図３に示す。
図３に示すコンソールパネル２の下半分には、複数の入力チャンネル用のチャンネルストリップが設けられているインプットセクション３と、複数の出力チャンネル用のチャンネルストリップが設けられているアウトプットセクション４が設けられている。アウトプットセクション４の横にはユーザ定義キーセクション５が設けられ、複数のユーザ定義キー（user defined keys）が設けられている。また、コンソールパネル２の上半分には表示器１４であるＬＣＤディスプレイ６と、ＬＣＤディスプレイ６の近傍にデータエントリーセクション７が設けられている。データエントリーセクション７には、ＬＣＤディスプレイ６に表示されるカーソルを上下左右に移動させてパラメータの選択等を行うカーソル移動キー７ｂ、種々の設定可能なパラメータ値を増減する増減キー７ａ、種々の設定可能なパラメータ値を選択するロータリエンコーダ７ｃ、設定したパラメータ値を確定させるエンターキー７ｄが設けられている。
【００１８】
インプットセクション３には、例えば２４チャンネル分の入力チャンネル用のチャンネルストリップが設けられており、各チャンネルストリップは同じ構成を有している。そこで、このチャンネルストリップの内のチャンネルストリップ９ないしチャンネルストリップ１６の８チャンネル分の詳細構成を図４に示す。図４に示す８チャンネル分のチャンネルストリップ３０における各チャンネルストリップは同じ構成とされており、そのチャンネルストリップに割り当てられたチャンネルを選択するセル（ＳＥＬ）キー３１と、割り当てられたチャンネルを検聴するキュー（ＣＵＥ）スイッチ３２と、割り当てられたチャンネルをオンするチャンネルスイッチ３３と、割り当てられたチャンネルのレベルを制御する電動フェーダ３４とその摘み３４ａとがそれぞれ設けられている。また、キュー（ＣＵＥ）スイッチ３２とチャンネルスイッチ３３との間にはそのチャンネルのレベルを表示するレベルメータが設けられており、セル（ＳＥＬ）キー３１ａ、キュー（ＣＵＥ）スイッチ３２およびチャンネルスイッチ３３には、オンされた際に点灯されてオンされたことを表示するＬＥＤ３１ａ，３２ａ，３３ａが内蔵されている。
【００１９】
アウトプットセクション４には、例えば８チャンネル分の出力チャンネル用のチャンネルストリップが設けられており、チャンネルストリップの構成は図４に示す入力チャンネル用のチャンネルストリップは同じ構成とされている。
インプットセクション３のチャンネルストリップに選択的に入力チャンネルを割り当てることにより、全入力チャンネルの制御を行えるようになる。また、アウトプットセクション４のチャンネルストリップに選択的に出力チャンネルを割り当てることにより全出力チャンネルの制御を行えるようになる。
【００２０】
次に、コンソールパネル２に設けられているユーザ定義キーセクション５を拡大して図５に示す。ユーザ定義キーセクション５には、例えば１２個のユーザ定義キー（user defined keys）５ａ，５ｂ，・・・，５ｍが設けられている。ユーザ定義キー（user defined keys）５ａ〜５ｍはシーンの切り替え、トークバックや内蔵オシレーターのオン／オフなどのあらかじめプログラムされた機能を実行するためのキーであり、ユーザがユーザ定義キー（user defined keys）５ａ〜５ｍにそれぞれ割当可能な機能をアサインすることができるようにされている。割当可能な機能の一覧表の一部を図６に示す。図６において、機能（FUNCTION）欄の機能が割当可能な機能であり、ユーザ定義キー（user defined keys）５ａ〜５ｍには、セットバイセル（SET BY SEL）機能やシーン（SCENE）切替機能、トークバック機能、オシレータ機能等の機能をアサインすることができるようにされている。また、ユーザ定義キー（user defined keys）５ａ〜５ｍにアサインされた機能をクリアするために、「NO ASSIGN」の機能が用意されている。そして、アサインされる機能にいくつかのパラメータがある場合には、パラメータ１（PARAMETER 1）欄にそのパラメータが示される。さらに、パラメータ１（PARAMETER 1）欄に示すパラメータの下位にパラメータがある場合は、パラメータ２（PARAMETER 2）欄にそのパラメータが示される。
【００２１】
パラメータ１（PARAMETER 1）欄あるいはパラメータ２（PARAMETER 2）欄の内の１つのパラメータを操作対象として選択することができる。セットバイセル（SET BY SEL）機能は、チャンネル毎に設定するオン／オフのパラメータを迅速に設定するための機能であり、操作対象のパラメータのオン／オフの設定をそのチャンネルに割り当てられたチャンネルストリップに設けられているセル（SEL）キー３１ａを操作することで設定できるようになる。セットバイセル（SET BY SEL）機能において操作対象とされるパラメータは、図６のパラメータ１（PARAMETER 1）欄に示すように入力チャンネル系のチャンネル毎に割り当てられているヘッドアンプに供給する電源をオン／オフするパラメータ「SET [+48V]」、ヘッドアンプの正相と逆相を切り替えるパラメータ「SET[φ]」、インプット系チャンネルからＭＩＸバス４５ａ〜４５ｍへ送られる信号の送出位置を、ポストフェーダ（POST SEND）とプリフェーダ（PRE SEND）とで切り替えるパラメータ「SET[PRE SEND]」、インプット系チャンネルからステレオバス４６へ送られる信号をオン／オフするパラメータ「SET[TO STEREO]」、インプット系チャンネルからモノバス４７へ送られる信号をオン／オフするパラメータ「SET[TO MONO]」の内から選択することができる。
【００２２】
この場合、図６に示す一覧表において「−」の欄にはパラメータが定義されておらず空欄とされているが、セットバイセル（SET BY SEL）機能におけるパラメータ１（PARAMETER 1）欄の最上位の空欄には特別の意味がある。この空欄を選択すると、セットバイセル（SET BY SEL）機能における全パラメータの内から操作対象とするパラメータを選択することができるメニュー付きセットバイセル（SET BY SEL）機能がアサインされるようになり、本発明において特徴的な構成とされている。すなわち、パラメータ１として空欄「−」をユーザ定義キー（user defined keys）５ａ〜５ｍのいずれかにアサインすると、アサインされたユーザ定義キー（user defined keys）５ａ〜５ｍを押した際にメニュー付きセットバイセル（SET BY SEL）機能のプログラムが起動されて、ＬＣＤディスプレイ６にセットバイセル（SET BY SEL）機能の操作対象とするパラメータを選択できるメニュー画面が表示されるようになる。このメニュー画面の一例を図８に示す。図８に示すように、ＬＣＤディスプレイ６にはパラメータ[+48V]、[φ]、[PRE SEND]、[TO STEREO]、[TO MONO]の全パラメータの各ボタンが表示され、操作対象としたいパラメータのボタン上にカーソルを合わせてエンターキー７ｄを押すと、そのパラメータがセットバイセル（SET BY SEL）機能の操作対象として設定されるようになる。なお、ＬＣＤディスプレイ６にタッチパネル機能を有させて、操作対象としたいパラメータにタッチすることで操作対象として設定するようにしてもよい。
【００２３】
これにより、ユーザ定義キー（user defined keys）５ａ〜５ｍにそれぞれ操作対象とするパラメータをあらかじめアサインしなくてもよくなることから、数が限られたユーザ定義キー（user defined keys）５ａ〜５ｍを効率的に使用することができるようになる。また、表示されたメニューからセットバイセル（SET BY SEL）機能の操作対象とするパラメータを選択することから、セットバイセル（SET BY SEL）機能の操作対象とするパラメータを確認しながら操作できるようになり、誤操作の発生を防止することができるようになる。
例えば、ユーザ定義キー（user defined keys）５ａにメニュー付きセットバイセル（SET BY SEL）機能がアサインされると、ユーザ定義キー（user defined keys）５ａを押した際にメニュー付きセットバイセル（SET BY SEL）機能が起動される。そして、ＬＣＤディスプレイ６に表示されたメニューから操作対象としてステレオバスへそのチャンネルの信号を送るパラメータ［TO STEREO］が選択されると、当該ユーザ定義キー（user defined keys）５ａを押し続けながらステレオバス４６へ送りたい入力チャンネルに割り当てられたチャンネルストリップのセル（SEL）キー３１を押すことで、その入力チャンネルの信号がステレオバスへ送られるようになる。これにより、ユーザ定義キー（user defined keys）５ａを押しながらステレオバスへ送りたい入力チャンネルに割り当てられているチャンネルストリップのセル（SEL）キー３１を順次押していくことで、複数チャンネルにパラメータ［TO STEREO］のオン／オフ設定を迅速に行うことができるようになる。
【００２４】
なお、セットバイセル（SET BY SEL）機能のプログラムが実行された際に、操作対象とされるパラメータが前回までの操作によりオンされているチャンネルについては、そのチャンネルに割り当てられたチャンネルストリップにおけるセル（SEL）キー３１のＬＥＤ３１ａが点灯するようになる。このため、オン／オフ設定をＬＥＤ３１ａの点灯状態を確認しながら行えるようになる。なお、セル（SEL）キー３１は押すたびにオン／オフ状態が反転するトグル動作を行う。
また、シーン（SCENE）切替機能において操作対象とされるパラメータは、図６のパラメータ１（PARAMETER 1）欄に示すようにシーンメモリからリコールするリコールナンバを増加させるパラメータ「INC RECALL」、シーンメモリからリコールするリコールナンバを減少させるパラメータ「DEC RECALL」、シーンメモリからリコールするリコールナンバを直接指定するパラメータ「DIRECT RECALL」とされる。この場合、パラメータ「DIRECT RECALL」では直接指定するシーンナンバが必要とされることから、このシーンナンバ「SCENE#000~#300」のパラメータがパラメータ２（PARAMETER 2）欄に示される。
【００２５】
次に、ユーザ定義キー（user defined keys）５ａ〜５ｍに機能をアサインする際に、ＬＣＤディスプレイ６に表示される設定画面を図７に示す。
図７に示す設定画面は、ユーザ定義キー（user defined keys）５ａとされるUSER DEFINED KEY 1 に機能をアサインする設定画面とされている。設定画面には、アサイン可能な機能がFUNCTION欄に表示され、表示されている機能のうちの１つを選択すると選択された機能の文字が白抜きで表示されると共に、PARAMETER 1 欄に選択された機能における操作対象とされるパラメータが表示される。PARAMETER 1 欄の「▲」および「▼」にカーソルを合わせてエンターキー７ｄを押すことにより上や下に隠れていたパラメータをアップ／ダウンさせて表示することができ、表示されたパラメータのうちの１つを設定対象として選択すると、設定対象とされたパラメータの文字が白抜きで表示されるようになる。選択してから「ＯＫ」キーにカーソルを合わせてエンターキー７ｄを押すことにより、USER DEFINED KEY 1 に選択された機能がアサインされると共に、選択されたパラメータが操作対象として確定され、設定画面が閉じる。また、「CANCEL」キーを押した場合には、設定内容は解除され設定画面が閉じる。このようにして、ユーザ定義キー（user defined keys）５ａ〜５ｍであるUSER DEFINED KEY 1 〜12にそれぞれ機能をアサインすることができる。図７には、パラメータ「SET [+48V]」が選択されたセットバイセル（SET BY SEL）機能がUSER DEFINED KEY 1 にアサインされる画面が表示されている。
【００２６】
ユーザ定義キー（user defined keys）５ａ〜５ｍに割当可能な機能の他の実施例を図９に示す。図９には割当可能な機能の一覧表の一部が示されており、この実施例ではセットバイセル（SET BY SEL）機能のパラメータが変更されている。図９に示すユーザ定義キー（user defined keys）５ａ〜５ｍに割り当てることのできるセットバイセル（SET BY SEL）機能において、パラメータ「SET [+48V]」、パラメータ「SET[φ]」、パラメータ「SET[PRE SEND]」、パラメータ「SET[TO STEREO]」、パラメータ「SET[TO MONO]」と、メニュー付きセットバイセル（SET BY SEL）機能をアサインする「−（空欄）」に加えて、異なるメニューのメニュー付きセットバイセル（SET BY SEL）機能をアサインするパラメータ「MENU1」およびパラメータ「MENU2」が追加されている。ここで、例えばセットバイセル（SET BY SEL）機能におけるパラメータ「MENU1」をユーザ定義キー（user defined keys）５ａ〜５ｍのいずれかにアサインし、アサインしたユーザ定義キー（user defined keys）５ａ〜５ｍを押した場合は、メニュー１のメニュー付きセットバイセル（SET BY SEL）機能が起動される。これにより、ＬＣＤディスプレイ６にセットバイセル（SET BY SEL）機能の操作対象とするパラメータを選択する図１０に示すメニュー１のメニュー画面が表示されるようになる。図１０に示すメニュー１では、パラメータ[+48V]、[φ]、[PRE SEND]の３つのボタンが表示され、操作対象とするパラメータのボタン上にカーソルを合わせてエンターキー７ｄを押すことにより、そのパラメータがセットバイセル（SET BY SEL）機能の操作対象として設定されるようになる。
【００２７】
また、パラメータ「MENU2」をユーザ定義キー（user defined keys）５ａ〜５ｍのいずれかにアサインし、アサインしたユーザ定義キー（user defined keys）５ａ〜５ｍを押した場合は、メニュー２のメニュー付きセットバイセル（SET BY SEL）機能が起動される。これにより、ＬＣＤディスプレイ６にセットバイセル（SET BY SEL）機能の操作対象とするパラメータを選択する図１１に示すメニュー２のメニュー画面が表示されるようになる。図１１に示すメニュー２では、パラメータ[+48V]、[PRE SEND]、[TO STEREO]、[TO MONO]の４つのボタンが表示され、操作対象とするパラメータのボタン上にカーソルを合わせてエンターキー７ｄを押すことにより、そのパラメータがセットバイセル（SET BY SEL）機能の操作対象として設定されるようになる。
このようなパラメータ「MENU1」やパラメータ「MENU2」を設けるようにしても、１つのユーザ定義キー（user defined keys）で複数の操作対象のパラメータを操作することができることから、数が限られたユーザ定義キー（user defined keys）５ａ〜５ｍを効率的に使用することができるようになる。また、表示されたメニューからセットバイセル（SET BY SEL）機能の操作対象を選択することから、セットバイセル（SET BY SEL）機能の操作対象とするパラメータを確認しながら操作できるようになり、誤操作の発生を防止することができるようになる。
【００２８】
次に、機能のアサインを行う設定画面に移動する等してユーザ定義キー（user defined keys）５ａ〜５ｍのいずれかに機能のアサインを行う指示を受けたときに起動する機能アサイン処理のフローチャートを図１２に示す。
図１２に示す機能アサイン処理が起動すると、ステップＳ１０にてユーザ定義キー（user defined keys）５ａ〜５ｍの一覧がＬＣＤディスプレイ６に表示され、ステップＳ１１にてユーザ定義キー（user defined keys）５ａ〜５ｍのいずれかのキーが選択されるまで待機される。ここで、ユーザ定義キー（user defined keys）５ａ〜５ｍのうちのいずれかのキーが選択されたことが検出されると、ステップＳ１２にてユーザ定義キー（user defined keys）５ａ〜５ｍにアサイン可能な機能の一覧表がＬＣＤディスプレイ６に表示される。この一覧表は図６あるいは図９に示す一覧表とされる。次いで、ステップＳ１３にていずれかの機能が選択されるまで待機される。ここで、いずれかの機能が選択されたことが検出されると、選択された機能を選択されたユーザ定義キー（user defined keys）５ａ〜５ｍのいずれかにアサインする処理が行われ、機能アサイン処理は終了する。
【００２９】
次に、ユーザ定義キー（user defined keys）５ａ〜５ｍのいずれかのキーが押されてオンされたことが検出されたときに起動する機能プログラム処理のフローチャートを図１３に示す。
機能プログラム処理が起動されると、ステップＳ２０にてオンされたユーザ定義キー（user defined keys）にアサインされている機能を判別し、判別した機能がメニュー付きのセットバイセル（SET BY SEL）機能とされているか否かがステップＳ２１で判断される。ここで、判別したアサインされている機能がメニュー付きのセットバイセル（SET BY SEL）機能とされていないと判断された場合は、ステップＳ２２に分岐して判別されたアサインされている機能のプログラムが起動されて実行され、実行後にユーザ定義キー（user defined keys）にアサインされている機能のプログラムが終了されて機能プログラム処理は終了する。
また、ステップＳ２１にて判別したアサインされている機能がメニュー付きのセットバイセル（SET BY SEL）機能と判断された場合は、ステップＳ２３に進みセットバイセル（SET BY SEL）機能のプログラムが起動されて、メニュー付きセットバイセル（SET BY SEL）機能のパラメータを選択するための選択画面をＬＣＤディスプレイ６に表示する。この選択画面は、アサインされたメニュー付きセットバイセル（SET BY SEL）機能に応じて図８や図１０，図１１に示すメニュー画面とされる。
【００３０】
そして、表示された選択画面に表示されているいずれかのパラメータが選択されるまでステップＳ２４にて待機され、いずれかのパラメータのボタンがクリック等されてパラメータが選択されたことが検出されると、ステップＳ２５に進む。ステップＳ２５では、選択されたパラメータを操作対象としてそのパラメータを操作するためのサブルーチンとされる次のプログラムが起動される。次いで、ステップＳ２６においてＬＣＤディスプレイ６に表示していた選択画面を消去する。そして、ステップＳ２７にてオンされていたユーザ定義キー（user defined keys）がオフされるまで待機される。この場合、ユーザ定義キー（user defined keys）がオフされたと検出されるのはアサインされているセットバイセル（SET BY SEL）機能の処理が終了してユーザが押し続けていたユーザ定義キー（user defined keys）から手（指）を離した時とされる。そして、ユーザ定義キー（user defined keys）がオフされたと検出されると、ステップＳ２８に進みオフされたユーザ定義キー（user defined keys）にアサインされていたセットバイセル（SET BY SEL）機能のプログラムを終了させ、機能プログラム処理は終了する。
【００３１】
次に、ユーザ定義キー（user defined keys）５ａ〜５ｍのいずれかのキーが押されてオンされたことが検出されたときに起動する他の機能プログラム処理のフローチャートを図１４に示す。
図１４に示す他の機能プログラム処理が起動されると、ステップＳ２０’にてオンされたユーザ定義キー（user defined keys）にアサインされている機能を判別し、判別した機能がメニュー付きのセットバイセル（SET BY SEL）機能とされているか否かがステップＳ２１’で判断される。ここで、判別したアサインされている機能がメニュー付きのセットバイセル（SET BY SEL）機能とされていないと判断された場合は、ステップＳ２２’に分岐して判別されたアサインされている機能のプログラムが起動されて実行され、実行後にユーザ定義キー（user defined keys）にアサインされている機能のプログラムが終了されて機能プログラム処理は終了する。
また、ステップＳ２１’にて判別したアサインされている機能がメニュー付きのセットバイセル（SET BY SEL）機能と判断された場合は、ステップＳ２３’に進みセットバイセル（SET BY SEL）機能のプログラムが起動されて、メニュー付きセットバイセル（SET BY SEL）機能のパラメータを選択するための選択画面をＬＣＤディスプレイ６に表示する。この選択画面は、アサインされたメニュー付きセットバイセル（SET BY SEL）機能に応じて図８や図１０，図１１に示すメニュー画面とされる。
【００３２】
ステップＳ２３’の処理が終了すると、表示された選択画面に表示されているいずれかのパラメータが選択されたか否かがステップＳ２４’にて判断される。ここで、いずれかのパラメータのボタンがクリック等されてパラメータが選択されたことが検出されると、ステップＳ２５’に進む。ステップＳ２５’では、選択されたパラメータを操作対象としてそのパラメータを操作するためのサブルーチンとされる次のプログラムが起動される。次いで、ステップＳ２６’においてオンされていたユーザ定義キー（user defined keys）がオフされたか否かが判断され、オンされていたユーザ定義キー（user defined keys）がオフされたと判断された場合は、ステップＳ２７’に進みＬＣＤディスプレイ６に表示していた選択画面を消去する。この場合、ユーザ定義キー（user defined keys）がオフされたと検出されるのはアサインされているセットバイセル（SET BY SEL）機能の処理が終了してユーザが押し続けていたユーザ定義キー（user defined keys）から手（指）を離した時とされる。また、予め定められた時間が経過してもステップＳ２６’でオンされていたユーザ定義キー（user defined keys）がオフされたと判断されない場合は、ステップＳ２４’に戻りステップＳ２４’ないしステップＳ２６’の処理が再度行われる。なお、ステップＳ２４’において予め定められた時間が経過してもパラメータが選択されたことが検出されない場合は、ステップＳ２６’にジャンプし上記した処理が行われる。そして、ステップＳ２７’の処理が終了するとステップＳ２８’に進みオフされたユーザ定義キー（user defined keys）にアサインされていたセットバイセル（SET BY SEL）機能のプログラムを終了させ、機能プログラム処理は終了する。
図１４に示す他の機能プログラム処理においては、ユーザ定義キー（user defined keys）がオフされるまでステップＳ２３’において表示された選択画面が表示し続けられるようになり、その間はパラメータを選択していつでも変更できるようになる。
【００３３】
次に、セットバイセル（SET BY SEL）機能が起動された際に起動するセットバイセル（SET BY SEL）処理のフローチャートを図１５に示す。
セットバイセル（SET BY SEL）処理が起動されると、ステップＳ３０にてセットバイセル（SET BY SEL）機能が実行中であることを設定する。この設定では、機能プログラム処理により設定された設定状態が読み込まれてバッファに格納される。この際に、アサインされた操作対象のパラメータを表す画面がＬＣＤディスプレイ６に表示される。次いで、ステップＳ３１にて操作対象のパラメータが設定される。操作対象のパラメータは機能プログラム処理におけるステップＳ２５で確定されて上記バッファに格納されているパラメータである。さらに、ステップＳ３２にて操作対象のパラメータを扱えるチャンネルストリップに割り当てられている各チャンネルについて、当該パラメータのオン／オフ状態が調べられる。
【００３４】
そして、ステップＳ３３にて操作対象のパラメータがオンとされているチャンネルに割り当てられているチャンネルストリップのセル（SEL）キー３１に内蔵されているＬＥＤ３１ａを点灯させ、オフとされているチャンネルについてはそのチャンネルに割り当てられているチャンネルストリップのセル（SEL）キー３１に内蔵されているＬＥＤ３１ａを消灯させる。これにより、一目で操作対象のパラメータのオン／オフの設定状態を扱えるチャンネル毎に確認することができるようになる。次いで、ステップＳ３４にてセットバイセル（SET BY SEL）機能の停止が指示されるまで待機される。この停止の指示は、機能プログラム処理におけるステップＳ２８（ステップＳ２８’）において指示され、停止の指示が検出されると、ステップＳ３５にてセットバイセル（SET BY SEL）機能が停止されたことを設定する。この設定では、上記バッファの内容がクリアされ、ステップＳ３５の処理が終了するとセットバイセル（SET BY SEL）処理は終了する。
【００３５】
次に、いずれかのチャンネルストリップにおけるセル（SEL）キー３１が操作されたことが検出された際に起動されるセル（SEL）キー処理のフローチャートを図１６に示す。
セル（SEL）キー処理が起動されると、ステップＳ４０にてセットバイセル（SET BY SEL）機能が実行中であるか調べられ、調べられたセットバイセル（SET BY SEL）機能が実行中か否かがステップＳ４１にて判断される。ここで、上記バッファを見てセットバイセル（SET BY SEL）機能が実行されていないと判断された場合は、ステップＳ４２に分岐して操作するチャンネルとして、起動する元となったセル（SEL）キー３１のチャンネルストリップが割り当てられているチャンネルを操作するチャンネルとして設定され、通常のセル（SEL）キー３１の処理が実行されるようになり、セル（SEL）キー処理は終了される。
【００３６】
また、ステップＳ４１にてセットバイセル（SET BY SEL）機能が実行中と判断された場合は、ステップＳ４３に進み、セル（SEL）キー３１が操作されたことから操作対象のパラメータのオン／オフ状態を反転するよう切り替える。切り替えられるチャンネルは、起動する元となったセル（SEL）キー３１のチャンネルストリップが割り当てられているチャンネルとされる。次いで、ステップＳ４４にて操作対象のパラメータがオンへ切り替えられたか否かが判断され、オンへ切り替えられたと判断された場合はステップＳ４５へ進む。ステップＳ４５では、操作対象のパラメータがオンに設定されて、操作されたセル（SEL）キー３１に内蔵されているＬＥＤ３１ａがステップＳ４６にて点灯される。また、ステップＳ４４においてオフへ切り替えられたと判断された場合はステップＳ４７へ分岐し、操作対象のパラメータがオフに設定される。次いで、操作されたセル（SEL）キー３１に内蔵されているＬＥＤ３１ａがステップＳ４８にて消灯される。ステップＳ４６あるいはステップＳ４８の処理が終了するとセル（SEL）キー処理は終了する。なお、操作対象のパラメータについて、オン／オフに対する処理は信号処理部１９にて実行される。
【産業上の利用可能性】
【００３７】
以上説明したミキシング装置において、ＲＯＭに制御プログラムが記憶されていない場合、ハードディスクやＣＤ−ＲＯＭに制御プログラムやデータを記憶させておいてそれをＲＡＭに読み込んだり、通信ネットワークを介してサーバコンピュータと接続してサーバコンピュータから制御プログラムやデータをダウンロードすることで、ＲＯＭに制御プログラムやデータを記憶している場合と同様の動作をＣＰＵにさせることができる。
【図面の簡単な説明】
【００３８】
【図１】本発明のミキシング装置の実施例であるディジタルミキサの構成を示すブロック図である。
【図２】本発明のミキシング装置の実施例であるディジタルミキサにおいてミキシング処理が行われる等価的な機能ブロック図である。
【図３】本発明のミキシング装置の実施例であるディジタルミキサにおけるコンソールパネルの概略構成を示す図である。
【図４】本発明のミキシング装置の実施例であるディジタルミキサにおけるチャンネルストリップの構成を８チャンネル分示す図である。
【図５】本発明のミキシング装置の実施例であるディジタルミキサにおけるコンソールパネルに設けられているユーザ定義キーセクションを拡大して示す図である。
【図６】本発明のミキシング装置の実施例であるディジタルミキサにおいてユーザ定義キーに割当可能な機能の一覧表の一部を示す図である。
【図７】本発明のミキシング装置の実施例であるディジタルミキサにおいてユーザ定義キーに機能をアサインする際に表示される設定画面の図である。
【図８】本発明のミキシング装置の実施例であるディジタルミキサにおいて操作対象とするパラメータを選択するメニュー画面の図である。
【図９】本発明のミキシング装置の実施例であるディジタルミキサにおいてユーザ定義キーに割当可能な機能の他の一覧表の一部を示す図である。
【図１０】本発明のミキシング装置の実施例であるディジタルミキサにおいて操作対象とするパラメータを選択する他のメニュー画面の図である。
【図１１】本発明のミキシング装置の実施例であるディジタルミキサにおいて操作対象とするパラメータを選択するさらに他のメニュー画面の図である。
【図１２】本発明のミキシング装置の実施例であるディジタルミキサにおいてユーザ定義キーのいずれかに機能のアサインを行う指示を受けたときに起動する機能アサイン処理のフローチャートである。
【図１３】本発明のミキシング装置の実施例であるディジタルミキサにおいてユーザ定義キーのいずれかのキーが押されてオンされたことが検出されたときに起動する機能プログラム処理のフローチャートである。
【図１４】本発明のミキシング装置の実施例であるディジタルミキサにおいてユーザ定義キーのいずれかのキーが押されてオンされたことが検出されたときに起動する他の機能プログラム処理のフローチャートである。
【図１５】本発明のミキシング装置の実施例であるディジタルミキサにおいてセットバイセル機能が起動された際に起動するセットバイセル処理のフローチャートである。
【図１６】本発明のミキシング装置の実施例であるディジタルミキサにおいていずれかのチャンネルストリップにおけるセルキーが操作されたことが検出された際に起動されるセル（SEL）キー処理のフローチャートである。
【図１７】従来のディジタルミキサにおいてユーザ定義キーに割当可能な機能の一覧表の一部を示す図である。
【符号の説明】
【００３９】
１  ディジタルミキサ、２  コンソールパネル、３  インプットセクション、４  アウトプットセクション、５  ユーザ定義キーセクション、６  ＬＣＤディスプレイ、７  データエントリーセクション、７ａ  増減キー、７ｂ  カーソル移動キー、７ｃ  ロータリエンコーダ、７ｄ  エンターキー、１０  ＣＰＵ、１１  フラッシュメモリ、１２  ＲＡＭ、１３  ＲＯＭ、１４  表示器、１５  電動フェーダ、１６  チャンネルストリップ、１６  操作子、１７  波形Ｉ／Ｏ、１８  操作者用モニタ、１９  信号処理部、２０  レコーダ、２１  ＵＳＢ  Ｉ／Ｏ、２２  コネクタ、２３  バス、２４  ＵＳＢメモリ、３０  チャンネルストリップ、３１  セル（SEL）キー、３１ａ  ＬＥＤ、３２  ＣＵＥスイッチ、３２ａ  ＬＥＤ、３３  チャンネルスイッチ、３３ａ  ＬＥＤ、３４  電動フェーダ、３４ａ  摘み、４０  アナログ入力ポート（Ａ入力）、４１  ディジタル入力ポート（Ｄ入力）、４２  入力パッチ、４３ａ〜４３ｎ  入力チャンネル部、４４ａ〜４４ｎ  位相反転器、４５ａ〜４５ｍ  ＭＩＸバス、４６  ステレオバス、４７  モノバス、４８ａ〜４８ｍ，４８ｓ，４８ｔ  ＭＩＸ出力チャンネル部、４９  出力パッチ、５０  アナログ出力ポート部（Ａ出力）、５１  ディジタル出力ポート部（Ｄ出力）
【図１】
2008042446.tif 000003
【図２】
2008042446.tif 000004
【図３】
2008042446.tif 000005
【図４】
2008042446.tif 000006
【図５】
2008042446.tif 000007
【図６】
2008042446.tif 000008
【図７】
2008042446.tif 000009
【図８】
2008042446.tif 000010
【図９】
2008042446.tif 000011
【図１０】
2008042446.tif 000012
【図１１】
2008042446.tif 000013
【図１２】
2008042446.tif 000014
【図１３】
2008042446.tif 000015
【図１４】
2008042446.tif 000016
【図１５】
2008042446.tif 000017
【図１６】
2008042446.tif 000018
【図１７】
2008042446.tif 000019